(57)【要約】      （修正有）【課題】スピニングリールのラインローラで、軸受を径方向に支持する支持部材と、軸受の軸方向の位置を固定するカラーとの間から、軸受に水の浸入を防止するラインローラの提供。【解決手段】ラインローラ３は、釣糸を案内するガイド面を外周に有する円筒状の案内部材６と、案内部材６の内周面を回転可能に支持する第１軸受１１および第２軸受１２と、第１軸受１１および第２軸受１２の内周面を径方向に支持する支持軸２４と、第１軸受１１および第２軸受１２の端面に当接して軸方向の位置を固定する第１カラー４および第２カラー５と、第１カラー４および第２カラー５と支持軸２４との接合面に形成された、案内部材６の回転軸回りの全周にわたって連続する第１の溝２５および第２の溝２６に、Ｏリング１３，１４はそれぞれ配置される。【選択図】図３
2020099255.tif 000002
【特許請求の範囲】
【請求項１】
魚釣用スピニングリールのスプールに釣糸を案内するためのラインローラであって、
釣糸を案内するガイド面を外周に有する円筒状の案内部材と、
前記案内部材の内周面を回転可能に支持する軸受と、
前記軸受の内周面を径方向に支持する支持部材と、
前記軸受の端面に当接して軸方向の位置を固定するカラーと、
前記カラーと前記支持部材との接合面に、前記案内部材の回転軸回りの全周にわたって介在する防水部材と、
を備え、
前記カラーと前記支持部材との接合面に、前記カラーまたは前記支持部材に前記回転軸回りの全周にわたって連続する溝が形成されており、前記防水部材は前記溝に配置される、ラインローラ。
【請求項２】
前記カラーは、前記軸受を軸方向に挟んで軸方向の位置を固定する第１のカラーおよび第２のカラーを含み、
前記防水部材は、前記第１のカラーと前記支持部材との接合面に、前記回転軸回りの全周にわたって介在する第１の防水部材、および、前記第２のカラーと前記支持部材との接合面に、軸回りの全周にわたって介在する第２の防水部材を含み、
前記第１のカラーと前記支持部材との接合面に、前記第１のカラーまたは前記支持部材に前記回転軸回りの全周にわたって連続する第１の溝が形成されており、前記第１の防水部材は前記第１の溝に配置され、
前記第２のカラーと前記支持部材との接合面に、前記第２のカラーまたは前記支持部材に前記回転軸回りの全周にわたって連続する第２の溝が形成されており、前記第２の防水部材は前記第２の溝に配置される、
請求項１に記載のラインローラ。
【請求項３】
前記溝は、前記支持部材の外周面に形成されている、請求項１または２に記載のラインローラ。
【請求項４】
前記防水部材は、Ｏリングである、請求項１から３のいずれか１項に記載のラインローラ。
【請求項５】
前記防水部材は、リップシールである、請求項１から３のいずれか１項に記載のラインローラ。
【請求項６】
前記防水部材は、撥水性グリースである、請求項１から３のいずれか１項に記載のラインローラ。
【発明の詳細な説明】
【技術分野】
【０００１】
本発明は、魚釣に用いられるスピニングリールのラインローラに関する。
【背景技術】
【０００２】
魚釣用のスピニングリールは、スプールと、一対のロータアームを有するロータと、一対のロータアームの先端部に揺動可能に装着された釣糸案内機構、いわゆるベールアームと、を備えている。釣糸案内機構は、釣糸をスプールに案内するための機構である。釣糸案内機構は、ベールと、ベールの両端部を支持する一対のベール支持部材と、ラインローラと、を有している。
【０００３】
ラインローラは、滑らかに回転するように軸受で支持されており、軸受に水が浸入するのを防止することが必要である。例えば、特許文献１には、ラインローラを支持する軸受の防水、防塵を図った魚釣用スピニングリールが記載されている。特許文献１のスピニングリールでは、ハンドル操作に連動回転するロータの支持アームに取り付く支持部材の支持部に、軸受を介してラインローラを回転可能に支持すると共に、当該ラインローラと上記支持部との間にシール部材を介在させた魚釣用スピニングリールに於て、前記ラインローラと軸受との間に、前記シール部材の保持部を設けたカラーを介在し、当該保持部にシール部材を保持して、シール部材の先端を前記支持部側に摺接させている。
【先行技術文献】
【特許文献】
【０００４】
【特許文献１】特開２００６−１０１７０４号公報
【発明の概要】
【発明が解決しようとする課題】
【０００５】
例えば、特許文献１のラインローラでは、軸受の軸方向の位置を固定するワッシャの外周面にシール部材が摺接して、ワッシャの外周はシールされている。しかし、ワッシャが嵌合する支持部とワッシャとの接合面、およびワッシャを押さえているアームレバーとワッシャとの接合面は、硬質の部材どうしの接合であって、それらの接合面を通じて軸受に水が浸入する可能性がある。
【０００６】
本発明は上述の事情に鑑みてなされたもので、軸受を径方向に支持する支持部材と、軸受の軸方向の位置を固定するカラーとの間から、軸受に水が浸入するのを防止することを目的とする。
【課題を解決するための手段】
【０００７】
本発明の観点に係るラインローラは、魚釣用スピニングリールのスプールに釣糸を案内するためのラインローラであって、釣糸を案内するガイド面を外周に有する円筒状の案内部材と、案内部材の内周面を回転可能に支持する軸受と、軸受の内周面を径方向に支持する支持部材と、軸受の端面に当接して軸方向の位置を固定するカラーと、カラーと支持部材との接合面に、案内部材の回転軸回りの全周にわたって介在する防水部材と、を備え、カラーと支持部材との接合面に、カラーまたは支持部材に回転軸回りの全周にわたって連続する溝が形成されており、防水部材は溝に配置される。
【０００８】
好ましくは、カラーは、軸受を軸方向に挟んで軸方向の位置を固定する第１のカラーおよび第２のカラーを含み、防水部材は、第１のカラーと支持部材との接合面に、回転軸回りの全周にわたって介在する第１の防水部材、および、第２のカラーと支持部材との接合面に、軸回りの全周にわたって介在する第２の防水部材を含み、第１のカラーと支持部材との接合面に、第１のカラーまたは支持部材に回転軸回りの全周にわたって連続する第１の溝が形成されており、第１の防水部材は第１の溝に配置され、第２のカラーと支持部材との接合面に、第２のカラーまたは支持部材に回転軸回りの全周にわたって連続する第２の溝が形成されており、第２の防水部材は第２の溝に配置される。
【０００９】
好ましくは、溝は、支持部材の外周面に形成されている。
【００１０】
好ましくは、防水部材は、Ｏリングである。
【００１１】
あるいは、防水部材は、リップシールである。
【００１２】
あるいは、防水部材は、撥水性グリースである。
【発明の効果】
【００１３】
本発明によれば、ラインローラの軸受を径方向に支持する支持部材と、軸受の軸方向の位置を固定するカラーとの接合面に、防水部材を配置したので、支持部材とカラーとの間から、軸受に水が浸入するのを防止することができる。
【図面の簡単な説明】
【００１４】
【図１】本発明の実施の形態に係るラインローラを備えるスピニングリールの側面図
【図２】実施の形態に係るラインローラを備えるスピニングリールの正面図
【図３】実施の形態１に係るラインローラの断面図
【図４】実施の形態１の変形例に係るラインローラの断面図
【図５】防水部材がリップシールの場合のラインローラの断面図
【図６】防水部材が撥水性グリースの場合のラインローラの断面図
【図７】本発明の実施の形態２に係るラインローラの断面図
【発明を実施するための形態】
【００１５】
以下、本発明の実施の形態について図面を参照して詳細に説明する。なお図中、同一または同等の部分には同一の符号を付す。
【００１６】
実施の形態１．
図１は、本発明の実施の形態に係るラインローラを備えるスピニングリールの側面図である。魚釣用のスピニングリール１００は、リール本体１１０、ロータ１２０、スプール１３０、ハンドル１４０、および釣糸案内機構２を備えている。ハンドル１４０を回して、ロータ１２０をスプール１３０の周りに回転させることができる。ロータ１２０の回転に同期して、スプール１３０が図１の左右方向に往復動する。ロータ１２０が、図１の左右方向の軸の周りに回転することによって、釣糸は釣糸案内機構２で案内されてスプール１３０に巻かれる。釣糸の先につけた仕掛けをキャスティングすると、スプール１３０に巻かれた釣糸は、図１の左方向に繰り出される。釣糸の繰り出される方向を前という。
【００１７】
リール本体１１０は、ケース部１１１と、蓋部１１２とを有している。蓋部１１２は、ケース部１１１に対して取り外し可能である。また、ケース部１１１は、スピニングリール１００を釣竿の下に取り付けるための、前後方向に延びる装着部１１３を有している。装着部１１３は、釣竿に装着される部分である。ハンドル１４０は、リール本体１１０の左右どちらにも装着できる。図１では、ハンドル１４０はスピニングリール１００を前から見て右に装着されている。
【００１８】
ロータ１２０は、第１ロータアーム１２２および第２ロータアーム１２３を有する。釣糸案内機構２は、糸案内姿勢と糸開放姿勢とを取るように、第１ロータアーム１２２および第２ロータアーム１２３の先端部に揺動可能に支持されている。釣糸案内機構２は、ロータ１２０の回転軸に交わる軸、図１では上下方向の軸の周りに揺動可能である。釣糸案内機構２は、第１ベール支持部材２１と、第２ベール支持部材２２と、ベール２３と、ラインローラの案内部材を回転可能に支持する支持軸（支持部材）２４と、を備えている。
【００１９】
第１ベール支持部材２１は、第１端部２１ａと第２端部２１ｂとを有する。第１端部２１ａは、第１ロータアーム１２２の先端部に揺動可能に支持される。第１ベール支持部材２１の第２端部２１ｂは、支持軸２４を介して、ベール２３の第１端部２３ａを支持する。
【００２０】
第２ベール支持部材２２は、第１端部２２ａと第２端部２２ｂとを有する。第１端部２２ａは、第２ロータアーム１２３の先端部に揺動可能に支持される。第２端部２２ｂは、ベール２３の第２端部２３ｂを支持する。
【００２１】
図２は、実施の形態に係るラインローラを備えるスピニングリールの正面図である。図２は、釣糸案内機構２が糸案内姿勢を取っている状態を示す。図２では、図１とは反対に、ハンドル１４０がスピニングリール１００の前から見て左に装着されている状態を示す。
【００２２】
ベール２３は、略Ｕ字状のステンレス合金製の部材である。ベール２３は、糸案内姿勢でスプール１３０の外周面に沿って外方に凸となるように湾曲している。ベール２３の第１端部２３ａは、支持軸２４を介して、第１ベール支持部材２１に支持されている。ベール２３の第２端部２３ｂは、第２ベール支持部材２２に支持されている。
【００２３】
釣糸案内機構２が糸開放姿勢から糸案内姿勢に復帰したときに、釣糸がスピニングリール１００の前から、図２でベール２３の外側を通ってスプール１３０に達するように配置される。釣糸の端はスプール１３０に固定されている。糸案内姿勢で、ロータ１２０が図２で時計回りに回ると、釣糸はベール２３の外側を第１端部２３ａの方に滑って、ラインローラ３に落ち込む。さらにロータ１２０が回転すると、スプール１３０は回転しないので、釣糸はラインローラ３にたぐられて、スプール１３０に巻かれる。
【００２４】
ラインローラ３は、ロータ１２０の回転に従って、ロータ１２０の軸の周りに公転すると同時に、釣糸に接して案内するラインローラ３の案内部材が支持軸２４の周りに自転する。釣糸を損傷させないために、ラインローラ３の案内部材は支持軸２４の周りに滑らかに回ることが必要である。
【００２５】
図３は、実施の形態１に係るラインローラの断面図である。図３は、ラインローラ３の案内部材６が自転する軸を通る断面を示す。ラインローラ３は、第１ベール支持部材２１およびベール２３に回転不能に支持される支持軸２４に対し、円筒状の案内部材６が支持軸２４の周りに回転可能に支持されている。釣糸は、案内部材６の外周面に接し、回転する案内部材６によってスプール１３０に案内される。案内部材６の外周面は、釣糸を案内するガイド面である。以下の説明において、ラインローラ３の回転軸とは、案内部材６が自転する中心軸をいう。軸方向とは、案内部材６の回転軸が延びる方向を意味する。軸方向は、支持軸２４が延びる方向を意味し、図３では左右方向が軸方向である。また、径方向とは、回転軸を中心とする円の径方向を意味する。また、周方向とは、回転軸を中心とする円の周方向を意味する。
【００２６】
ラインローラ３は、案内部材６、第１ブッシュ８および第２ブッシュ９、第１軸受１１および第２軸受１２、第１カラー４、スペーサ７および第２カラー５、ならびに、支持部材である支持軸２４を備える。案内部材６は、第１ブッシュ８および第２ブッシュ９で軸方向および径方向に規制されて支持される。第１ブッシュ８および第２ブッシュ９はそれぞれ、第１軸受１１および第２軸受１２で回転可能に支持される。第１軸受１１および第２軸受１２の内周面は、支持部材である支持軸２４で径方向に支持される。第１軸受１１および第２軸受１２は、第１カラー４、スペーサ７および第２カラー５で軸方向の位置が固定されている。
【００２７】
案内部材６は、内径が小さい小径部６１の軸方向両端に段が形成され、段から軸方向および径方向に拡大した形状である。第１ブッシュ８および第２ブッシュ９はそれぞれ、軸方向の一方の端に径方向内方に突出するフランジ８１，９１が形成され、他方は外径に段を形成して径が大きい大径部８２，９２を有する。第１ブッシュ８および第２ブッシュ９は、互いにフランジ８１，９１を向かい合わせて配置され、両者のフランジ８１，９１が第１軸受１１および第２軸受１２の外輪に挟まれている。案内部材６の内周面の段は、第１ブッシュ８および第２ブッシュ９の大径部８２，９２で軸方向に挟まれている。図３では、第１ブッシュ８と第２ブッシュ９は同じ形状であり、互いに逆向きに向かい合わされている。
【００２８】
第１カラー４、第１軸受１１、スペーサ７、第２軸受１２および第２カラー５は、その順でならんで支持軸２４に嵌合している。第１軸受１１の内輪と第２軸受１２の内輪の間にスペーサ７が介在し、第１軸受１１の内輪の他方の端面は第１カラー４に当接している。第２軸受１２の内輪の他方の端面は第２カラー５に当接している。第１カラー４の他方の端面は、ベール２３に当接して固定されている。第２カラー５の他方の端面は、第１ベール支持部材２１に当接して固定されている。支持軸２４には、一方の端に大径のフランジ２７が形成され、他方の端から中心軸に沿って雌ねじが形成されている。支持軸２４の雌ねじにボルト３０が螺合して締結されている。支持軸２４のフランジ２７は、第１ベール支持部材２１に形成された孔２１ｃの縁に掛かり、ボルト３０の頭３１は、ベール２３に形成された孔２３ｃの縁に掛かっている。ボルト３０の頭３１と支持軸２４のフランジ２７で、ベール２３、第１カラー４、第１軸受１１、スペーサ７、第２軸受１２、第２カラー５および第１ベール支持部材２１が挟まれて、固定されている。
【００２９】
ラインローラ３は、魚釣りをする現場の水がかかる環境にさらされる。すなわち、案内部材６の外周、ベール２３、第１ベール支持部材２１、ボルト３０の頭３１および支持軸２４のフランジ２７に水がかかる。そのため、案内部材６と第１ブッシュ８および第２ブッシュ９との接合面、第１ブッシュ８と第１カラー４との間の開口、ならびに、第２ブッシュ９と第２カラー５との間の開口を通して、第１軸受１１および第２軸受１２に水が浸入する可能性がある。さらに、ベール２３と第１カラー４の接合面またはベール２３と支持軸２４の接合面から、第１カラー４と支持軸２４との接合面を通じて第１軸受１１に水が浸入する可能性がある。また、第１ベール支持部材２１と第２カラー５の接合面または第１ベール支持部材２１と支持軸２４の接合面から、第２カラー５と支持軸２４との接合面を通じて第２軸受１２に水が浸入する可能性がある。実施の形態１のラインローラ３では、それらの箇所に防水を施している。
【００３０】
第１ブッシュ８の大径部８２の外周面に形成された、全周に亘って連続する溝８３にＯリング８４が配置されている。案内部材６と第１ブッシュ８の接合面は、Ｏリング８４でシールされている。同様に、第２ブッシュ９の大径部９２の外周面に全周に亘って連続して形成された溝９３にＯリング９４が配置され、案内部材６と第２ブッシュ９の接合面は、Ｏリング９４でシールされている。２つのＯリング８４，９４によって、案内部材６と第１ブッシュ８および第２ブッシュ９との接合面から、第１軸受１１および第２軸受１２に水が浸入するのを防止している。また、２つのＯリング８４，９４が案内部材６と第１ブッシュ８および第２ブッシュ９に密着することによって、案内部材６、第１ブッシュ８および第２ブッシュ９の振動および音鳴りが防止される。
【００３１】
第１ブッシュ８の大径部８２と第１カラー４との間に、弾性体で形成された円環状の第１リップシール４２が配置されている。第２ブッシュ９の大径部９２と第２カラー５との間に、弾性体で形成された円環状の第２リップシール５２が配置されている。第１リップシール４２は、第１カラー４の外周に全周に亘って連続する溝４１に嵌められている。第２リップシール５２は第２カラー５の外周面に全周に亘って連続する溝５１に嵌められている。第１リップシール４２および第２リップシール５２はそれぞれ、開放状態より伸張された状態で溝４１，５１に嵌合し、溝４１，５１の底に密着している。第１リップシール４２の外周先端は、第１ブッシュ８の大径部８２の内周面に当接または近接し、第１カラー４と第１ブッシュ８との間の開口をシールしている。第２リップシール５２の外周先端は、第２ブッシュ９の大径部９２の内周面に当接または近接し、第２カラー５と第２ブッシュ９との間の開口をシールしている。
【００３２】
支持軸２４の外周面の第１カラー４と接合する部分に、回転軸の全周に亘って連続する第１の溝２５が形成され、第１の溝２５に第１の防水部材であるＯリング１３が嵌められている。支持軸２４の外周面の第２カラー５と接合する部分に、回転軸の全周に亘って連続する第２の溝２６が形成され、第２の溝２６に第２の防水部材であるＯリング１４が嵌められている。
【００３３】
Ｏリング１３は、第１の溝２５の底と第１カラー４の内周面に圧接され、第１カラー４と支持軸２４との接合面を通じて第１軸受１１に水が浸入するのを防止する。Ｏリング１４は、第２の溝２６の底と第２カラー５の内周面に圧接され、第２カラー５と支持軸２４との接合面を通じて第２軸受１２に水が浸入するのを防止する。
【００３４】
以上説明したように、実施の形態１のラインローラ３によれば、ラインローラ３の外部から第１軸受１１および第２軸受１２へ到る接合面と開口は、Ｏリング８４，９４、第１リップシール４２、第２リップシール５２、第１の防水部材であるＯリング１３、および第２の防水部材であるＯリング１４でシールされ、第１軸受１１および第２軸受１２が防水される。特に、Ｏリング１３およびＯリング１４によって、第１軸受１１および第２軸受１２の支持部材である支持軸２４と、第１軸受１１および第２軸受１２の軸方向の位置を固定する第１カラー４および第２カラー５との接合面を通じて、第１軸受１１および第２軸受１２に水が浸入するのが防止される。その結果、第１軸受１１および第２軸受１２の防水が保たれ、案内部材６の回転の円滑性が維持される。
【００３５】
実施の形態１のラインローラ３は、図３の構成に限らない。例えば、支持軸２４とボルト３０の向きを逆にして、支持軸２４のフランジ２７がベール２３に掛かり、ボルト３０の頭３１が第１ベール支持部材２１に掛かるように構成してもよい。また例えば、案内部材６と第１ブッシュ８、または、案内部材６と第２ブッシュ９が一体に形成されていてもよい。案内部材６、第１ブッシュ８および第２ブッシュ９が一体に形成されていてもよい。その場合は、Ｏリング８４、またはＯリング９４が省略される。
【００３６】
第１ブッシュ８と第１カラー４との開口、または、第２ブッシュ９と第２カラー５との開口をシールするのは、リップシールに限らない。例えば、撥水性グリース、ラビリンスシールまたは磁性流体シールなどを用いてもよい。また、第１軸受１１および第２軸受１２を合わせて、１つの軸受で案内部材６を支持する構成も考えられる。
【００３７】
Ｏリング１３が配置される第１の溝２５を、第１カラー４の内周面に形成してもよい。その場合、Ｏリング１３は、第１カラー４に形成された第１の溝２５の底と支持軸２４の外周面に圧接される。また、Ｏリング１４が配置される第２の溝２６を、第２カラー５の内周面に形成してもよい。その場合、Ｏリング１４は、第２カラー５に形成された第２の溝２６の底と支持軸２４の外周面に圧接される。
【００３８】
その他、ベール２３と第１カラー４を一体に構成し、ベール２３で直接、第１軸受１１の位置を固定する構成でもよい。その場合、ベール２３は第１カラー４を兼ね、Ｏリング１３は、ベール２３と支持軸２４との接合面をシールする。また、第１ベール支持部材２１と第２カラー５を一体に構成し、第１ベール支持部材２１で直接、第２軸受１２の位置を固定する構成でもよい。その場合は、第１ベール支持部材２１は第２カラー５を兼ね、Ｏリング１４は、第１ベール支持部材２１と支持軸２４との接合面をシールする。
【００３９】
変形例．
図４は、実施の形態１の変形例に係るラインローラの断面図である。変形例では、第２の溝２６が、支持軸２４の外周面ではなく、支持軸２４の第２カラー５の端面に向き合う、回転軸に交わる面に形成されている。その他の構成は実施の形態１と同様である。
【００４０】
変形例でも、支持軸２４のフランジ２７は第１ベール支持部材２１の孔２１ｃの縁に掛かり、第１ベール支持部材２１が第２カラー５の端面に当接して、第２カラー５の位置を固定している。変形例ではフランジ２７が２段になっていて、フランジ２７の小径部２８は第２カラー５の端面に向かっている。第２カラー５の端面とフランジ２７の小径部２８は極めて近接し、小径部２８の回転軸に交わる面と第２カラー５の端面は接合面とみなせる。
【００４１】
第２の溝２６は、小径部２８の回転軸に交わる面に形成され、第２の溝２６に第２の防水部材であるＯリング１４が配置される。Ｏリング１４は、第２の溝２６の底と第２カラー５の端面に圧接され、第２カラー５と支持軸２４との接合面を通じて第２軸受１２に水が浸入するのを防止する。小径部２８の回転軸に交わる面は、回転軸に直交する平面には限らず、円錐面または球面などでもよい。
【００４２】
なお、例えば、第１ベール支持部材２１の孔２１ｃと、支持軸２４の第１ベール支持部材２１の孔２１ｃに嵌合する部分の外形を円筒面ではない異形にして、支持軸２４が第１ベール支持部材２１に対して回転しないように構成すれば、支持軸２４で第２カラー５の軸方向の位置を固定することができる。その場合、支持軸２４のフランジ２７の小径部２８は第２カラー５に当接し、小径部２８の回転軸に交わる面と第２カラー５の端面は接合面である。
【００４３】
第１の防水部材および第２の防水部材は、Ｏリング１３，１４には限らない。防水部材として、リップシールを用いてもよい。図５は、防水部材がリップシールの場合のラインローラの断面図である。図５では、ラインローラ３の要部を示し、ベール２３および第１ベール支持部材２１は省略されている。
【００４４】
図５のラインローラ３では、第１の防水部材として弾性体で形成されたリップシール１５が第１の溝２５に配置され、第２の防水部材として弾性体で形成されたリップシール１６が第２の溝２６に配置されている。その他の構成は、図３と同様である。リップシール１５およびリップシール１６はそれぞれ、開放状態より伸張した状態で嵌められ、第１の溝２５および第２の溝２６の底に密着している。リップシール１５の外周は、第１カラー４の内周面に当接し、リップシール１５は、第１カラー４と支持軸２４との接合面を通じて第１軸受１１に水が浸入するのを防止する。リップシール１６の外周は第２カラー５の内周面に当接し、第２カラー５と支持軸２４との接合面を通じて第２軸受１２に水が浸入するのを防止する。
【００４５】
実施の形態１で説明したように、図５の構成でも、第１の溝２５を第１カラー４の内周面に形成して、第１カラー４の方にリップシール１５を配置してもよい。また、第２の溝２６を第２カラー５の内周面に形成して第２カラー５の方にリップシール１６を配置してもよい。その場合、リップシール１５，１６のリップは、径方向内方に向かうように構成する。リップシール１５，１６の断面と溝２５，２６の断面に隙間がないように、リップシール１５，１６を形成することによって、ラインローラ３を組み立てるときにリップシールがねじれるのを防止することができる。
【００４６】
リップシール１５，１６の断面の形状は、図５に示すものに限らない。断面が多角形、あるいは、断面が円弧または楕円の一部と多角形の組み合わせなど、溝２５，２６に配置されてシールとしての機能を発揮すれば、どのような形状でも構わない。また、図４の変形例のように、第２の溝２６を、支持軸２４の第２カラー５の端面に向き合う、回転軸に交わる面に形成してもよい。
【００４７】
第１の防水部材および第２の防水部材として、撥水性グリースを用いることもできる。図６は、防水部材が撥水性グリースの場合のラインローラの断面図である。図６では、ラインローラ３の要部を示し、ベール２３および第１ベール支持部材２１は省略されている。
【００４８】
図６のラインローラ３では、第１の防水部材として撥水性グリース１７が第１の溝２５に配置され、第２の防水部材として撥水性グリース１８が第２の溝２６に配置されている。その他の構成は、図３と同様である。第１の溝２５および第２の溝２６は、組み立てるときに撥水性グリース１７，１８で満たされ、第１カラー４および第２カラー５と支持軸２４との接合面の微細な隙間にも、撥水性グリース１７，１８が入り込んでいる。撥水性グリース１７，１８によって、第１カラー４と支持軸２４との接合面を通じて第１軸受１１に水が浸入するのが防止され、第２カラー５と支持軸２４との接合面を通じて第２軸受１２に水が浸入するのが防止される。
【００４９】
第１の溝２５および第２の溝２６はそれぞれ、第１カラー４および第２カラー５の内周面に形成されてもよい。その場合でも、撥水性グリース１７，１８が、第１の溝２５および第２の溝２６に充填される。第１の溝２５を第１カラー４の内周面と支持軸２４の外周面の両方に形成してもよい。その場合、第１カラー４の第１の溝と支持軸２４の第１の溝２５は向き合っていなくてもよい。第２の溝２６を第２カラー５の内周面と支持軸２４の外周面の両方に形成してもよい。その場合、第２カラー５の第２の溝と支持軸２４の第２の溝２６は向き合っていなくてもよい。
【００５０】
実施の形態２．
図７は、本発明の実施の形態２に係るラインローラの断面図である。実施の形態２では、第１ベール支持部材２１、支持軸２４および第２カラー５が一体に形成されている。そのため、第２の溝２６および第２の防水部材がない。その他の構成は、実施の形態１と同様である。
【００５１】
実施の形態２では、第１ベール支持部材２１は支持軸２４を兼ね、第１軸受１１および第２軸受１２の内周面を径方向に支持している。また、支持軸２４部分から一段径が大きくなったボス部２９が、第２軸受１２の内輪に当接して、第２軸受１２の軸方向の位置を固定する第２カラーを兼ねている。ボルト３０の頭３１と第１ベール支持部材２１のボス部２９で、ベール２３、第１カラー４、第１軸受１１、スペーサ７および第２軸受１２が挟まれて、固定されている。実施の形態２では、支持軸２４と第２カラー５は一体であって、両者の間の接合面はない。第１ベール支持部材２１のボス部２９の外周に溝５１が形成され、溝５１に第２リップシール５２が嵌められている。ボス部２９と第２ブッシュ９の間の開口は、第２リップシール５２でシールされている。
【００５２】
実施の形態２でも、案内部材６と第１ブッシュ８の接合面は、Ｏリング８４でシールされ、案内部材６と第２ブッシュ９の接合面は、Ｏリング９４でシールされている。第１ブッシュ８の大径部８２と第１カラー４との間に、弾性体で形成された円環状の第１リップシール４２が配置され、第１リップシール４２は、第１カラー４と第１ブッシュ８との間の開口をシールしている。
【００５３】
支持軸２４の外周面の第１カラー４と接合する部分に、回転軸の全周に亘って連続する第１の溝２５が形成され、第１の溝２５に第１の防水部材であるＯリング１３が嵌められている。Ｏリング１３は、第１の溝２５の底と第１カラー４の内周面に圧接され、第１カラー４と支持軸２４との接合面を通じて第１軸受１１に水が浸入するのを防止する。
【００５４】
実施の形態２でも、実施の形態１で説明したのと同様に、支持軸２４とボルト３０の向きを逆にして、支持軸２４とベール２３および第１カラー４を一体に構成してもよい。その場合、第１の溝２５および第１の防水部材が省略され、第２カラー５と支持軸２４との接合面に形成される第２の溝２６に、第２の防水部材であるＯリング１４が嵌められる。
【００５５】
図４の変形例に類似する構成で、第１ベール支持部材２１と支持軸２４を別体にしたまま、支持軸２４と第２カラー５を一体に構成してもよい。その場合、第１ベール支持部材２１の孔と、支持軸２４の第１ベール支持部材２１の孔２１ｃに嵌合する部分の外形を円筒面ではない異形にして、支持軸２４が第１ベール支持部材２１に対して回転しないように構成する。支持軸２４と第２カラー５を一体に形成すれば、両者の間の接合面はないので、第２の溝２６および第２の防水部材は不要である。
【００５６】
実施の形態２でも、Ｏリング１３が配置される第１の溝２５を、第１カラー４の内周面に形成してもよい。その場合、Ｏリング１３は、第１カラー４に形成された第１の溝の底と支持軸２４の外周面に圧接される。ベール２３と第１カラー４を一体に構成し、ベール２３で直接、第１軸受１１の位置を固定する構成でもよい。その場合、ベール２３は第１カラー４を兼ね、Ｏリング１３は、ベール２３と支持軸２４との接合面をシールする。また、Ｏリング１３に代えて、第１のリップシール１５または撥水性グリース１７を用いることができる。
【符号の説明】
【００５７】
２    釣糸案内機構
３    ラインローラ
４    第１カラー
５    第２カラー
６    案内部材
７    スペーサ
８    第１ブッシュ
９    第２ブッシュ
１１    第１軸受
１２    第２軸受
１３、１４  Ｏリング
１５、１６  リップシール
１７、１８  撥水性グリース
２１    第１ベール支持部材
２１ａ  第１端部
２１ｂ  第２端部
２１ｃ  孔
２２    第２ベール支持部材
２２ａ  第１端部
２２ｂ  第２端部
２３    ベール
２３ａ  第１端部
２３ｂ  第２端部
２３ｃ  孔
２４    支持軸（支持部材）
２５    第１の溝
２６    第２の溝
２７    フランジ
２８    小径部
２９    ボス部
３０    ボルト
３１    頭
４１    溝
４２    第１リップシール
５１    溝
５２    第２リップシール
６１    小径部
８１    フランジ
８２    大径部
８３    溝
８４    Ｏリング
９１    フランジ
９２    大径部
９３    溝
９４    Ｏリング
１００    スピニングリール
１１０    リール本体
１１１    ケース部
１１２    蓋部
１１３    装着部
１２０    ロータ
１２２    第１ロータアーム
１２３    第２ロータアーム
１３０    スプール
１４０    ハンドル
【図１】
2020099255.tif 000003
【図２】
2020099255.tif 000004
【図３】
2020099255.tif 000005
【図４】
2020099255.tif 000006
【図５】
2020099255.tif 000007
【図６】
2020099255.tif 000008
【図７】
2020099255.tif 000009